【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】
所定偏光面の照明光を空間変調すると共に反射して、前記照明光の偏光面に対して偏光面を回転させてなる映像光を出射する反射型画像形成手段と、
前記映像光を投射する投射光学系と、
所定の光源より出射される前記照明光を前記反射型画像形成手段に向けて出射すると共に、前記反射型画像形成手段より入射する前記映像光を前記投射光学系に出射する光分離手段とを有し、
前記光源と前記光分離手段との間に、
前記反射型画像形成手段に対する前記入射光の偏光面に対応する偏光面の照明光を選択的に透過すると共に、該偏光面と直交する偏光面の成分を選択的に反射する偏光分離素子を配置した
ことを特徴とする投射型表示装置。
【請求項２】
前記偏光分離素子が、
前記光分離手段の入射面に密着して保持された
ことを特徴とする請求項１に記載の投射型表示装置。
【請求項３】
前記反射型画像形成手段は、
入射した第１の照明光を空間変調すると共に反射して第１の映像光を出射する第１の反射型画像形成手段と、
入射した第２の照明光を空間変調すると共に反射して第２の映像光を出射する第２の反射型画像形成手段とから構成され、
入射光のうちの所定波長の照明光を反射して前記第１の照明光として前記第１の反射型画像形成手段に出射すると共に、残る照明光を透過して前記第２の照明光として前記第２の反射型画像形成手段に出射し、前記第１の映像光を反射すると共に前記第２の映像光を透過して、前記入射光の光路を逆に辿るように前記第１及び第２の映像光を出射する波長分離ミラーをさらに備え、
前記投射光学系は、
前記第１及び第２の映像光を投射し、前記光分離手段は所定の光源より出射される前記入射光を前記波長分離ミラーに出射すると共に、前記波長分離ミラーより入射する第１及び第２の映像光を前記投射光学系に出射し、
前記波長分離ミラーに対する前記入射光の光軸と前記第１の映像光の光軸との成す角度が９０度より小さくなるように、前記波長分離ミラーの傾きが設定された
ことを特徴とする請求項１に記載の投射型表示装置。
【請求項４】
前記反射型画像形成手段は、
入射した第１の照明光を空間変調すると共に反射して第１の映像光を出射する第１の反射型画像形成手段と、
入射した第２の照明光を空間変調すると共に反射して第２の映像光を出射する第２の反射型画像形成手段と、
入射した第３の照明光を空間変調すると共に反射して第３の映像光を出射する第３の反射型画像形成手段とから構成され、
入射光のうちの所定波長の照明光を反射して前記第１の照明光として前記第１の反射型画像形成手段に出射すると共に、残る照明光を透過して出射し、前記第１の映像光を反射すると共に前記第２及び第３の映像光を透過して、前記入射光の光路を逆に辿るように前記第１、第２及び第３の映像光を出射する第１の波長分離ミラーと、
前記第１の波長分離ミラーの透過光のうち、所定波長の照明光を反射して前記第２の照明光として前記第２の反射型画像形成手段に出射すると共に、残る照明光を透過して前記第３の照明光として前記第３の反射型画像形成手段に出射し、前記第２の映像光を反射すると共に第３の映像光を透過して、前記第１の波長分離ミラーに向けて前記第１及び第２の映像光を出射する第２の波長分離ミラーとをさらに備え、
前記投射光学系は、
前記第１、第２及び第３の映像光を投射し、前記光分離手段は所定の光源より出射される前記入射光を前記第１の波長分離ミラーに出射すると共に、前記第１の波長分離ミラーより入射する第１、第２及び第３の映像光を前記投射光学系に出射し、
前記第１の波長分離ミラーに対する前記入射光の光軸と前記第１の映像光の光軸との成す角度が９０度より小さくなるように、前記第１の波長分離ミラーの傾きが設定され、
前記第２の波長分離ミラーに対する前記第１の波長分離ミラーを透過した入射光の光軸と前記第２の映像光の光軸との成す角度が９０度より小さくなるように、前記第２の波長分離ミラーの傾きが設定された
ことを特徴とする請求項１に記載の投射型表示装置。
【請求項５】
所定偏光面の照明光を空間変調すると共に反射して、前記照明光の偏光面に対して偏光面を回転させてなる映像光を出射する反射型画像形成手段と、
前記映像光を投射する投射光学系と、
所定の光源より出射される前記照明光を前記反射型画像形成手段に向けて出射すると共に、前記反射型画像形成手段より入射する前記映像光を前記投射光学系に出射する光分離手段とを有し、
前記投射光学系と前記光分離手段との間に、
前記映像光の偏光面に対応する所定偏光面の入射光を選択的に透過すると共に、該偏光面と直交する偏光面の成分を選択的に反射する偏光分離素子を配置した
ことを特徴とする投射型表示装置。
【請求項６】
前記偏光分離素子が、
前記光分離手段の出射面に密着して保持された
ことを特徴とする請求項５に記載の投射型表示装置。
【手続補正２】
【補正対象書類名】明細書
【補正対象項目名】０００１
【補正方法】変更
【補正の内容】
【０００１】
【発明の属する技術分野】
本発明は、投射型表示装置に関し、例えば反射型液晶パネルにより空間変調した映像光をスクリーン上に投射するプロジェクタ装置に適用することができる。本発明は、光分離素子の入射面側又は出射面側に偏光分離素子を配置することにより、高品位の表示画像を表示することができるようにする。
【手続補正３】
【補正対象書類名】明細書
【補正対象項目名】００１４
【補正方法】変更
【補正の内容】
【００１４】
【課題を解決するための手段】
かかる課題を解決するため請求項１の発明においては、光源と、光分離手段との間に、反射型画像形成手段に対する入射光の偏光面に対応する所定偏光面の照明光を選択的に透過すると共に、該偏光面と直交する偏光面の成分を選択的に反射する偏光分離素子を配置する。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
また請求項５の発明は、投射光学系と、光分離手段との間に、映像光の偏光面に対応する所定偏光面の入射光を選択的に透過すると共に、該偏光面と直交する偏光面の成分を選択的に反射する偏光分離素子を配置する。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
請求項１の構成により、光源と光分離手段との間に偏光分離素子を配置すれば、反射型画像形成手段において何ら光変調されない成分を遮光し、この成分を光源側に戻すことができる。これによりこの成分が投射されることによるコントラストの低下を防止して高品位の画像を表示することができる。またこの成分を再利用して照明光の利用効率を向上でき、その分温度上昇を防止することができる。
【手続補正１０】
【補正対象書類名】明細書
【補正対象項目名】００２１
【補正方法】変更
【補正の内容】
【００２１】
また請求項５の構成により、投射光学系と光分離手段との間に、偏光分離素子を配置すれば、投射された画像においてコントラストを低下させる成分を遮光し、この成分を光源側に戻すことができる。これによりこの成分が投射されることによるコントラストの低下を防止して高品位の画像を表示することができる。またこの成分を再利用して照明光の利用効率を向上でき、その分温度上昇を防止することができる。
【手続補正１１】
【補正対象書類名】明細書
【補正対象項目名】００７２
【補正方法】変更
【補正の内容】
【００７２】
【発明の効果】
上述のように本発明によれば、光分離素子の入射面側又は出射面側に偏光分離素子を配置することにより、高品位の表示画像を表示することができる。